(57)【特許請求の範囲】
【請求項１】
貯蔵室と、
前記貯蔵室を仕切る仕切板と、
前記貯蔵室の周囲に設けられている断熱箱体と、
冷気が通過する通路を有し、前記貯蔵室の背面に設けられている通路構成部材と、
前記仕切板を前記断熱箱体に対して固定する固定部材と、
前記仕切板と前記通路構成部材との間に設けられ、前記仕切板を保持する保持部材と
を備え、
前記仕切板は、前記通路構成部材を跨ぐように配置されつつ、前記保持部材に取付けられる前記固定部材によって前記断熱箱体の背面に対して固定されている冷蔵庫。
【請求項２】
貯蔵室と、
前記貯蔵室を仕切る仕切板と、
前記貯蔵室の周囲に設けられている断熱箱体と、
冷気が通過する通路を有し、前記貯蔵室の背面に設けられている通路構成部材と、
前記通路構成部材を覆うように設けられている板状部材と、
前記仕切板を前記断熱箱体に対して固定する固定部材と
を備え、
前記仕切板は、前記通路構成部材および前記板状部材を跨ぐように配置されつつ、前記固定部材によって前記断熱箱体の背面に対して固定されている冷蔵庫。
【請求項３】
前記固定部材は、前記通路構成部材を貫通している、請求項１または２に記載の冷蔵庫。
【請求項４】
前記固定部材は、前記通路を避けて前記通路構成部材を貫通している、請求項３に記載の冷蔵庫。
【請求項５】
前記貯蔵室には、前記通路構成部材を覆うように板状部材が設けられている、請求項１に記載の冷蔵庫。
【発明の詳細な説明】
【技術分野】
【０００１】
本発明は、貯蔵室内に仕切り棚を有する冷蔵庫に関する。
【背景技術】
【０００２】
従来の冷蔵庫には、上段に設けられた冷蔵室の下部に上段の貯蔵室とは隔離された隔離室からなるチルド室が設けられているものがある。例えば、特許文献１には、上部に扉２ａで開閉される冷蔵室２が配置された冷蔵庫１が開示されている。この冷蔵庫１の冷蔵室２内の下部には、上面が仕切板４１ａにより仕切られて隔離されたチルド室２１が設けられている。チルド室２１は冷蔵室２とは異なる温度帯（例えば、約０℃のチルド温度帯）に維持される。チルド室２１には、貯蔵物を収納する収納ケース１０７が配されている。
【先行技術文献】
【特許文献】
【０００３】
【特許文献１】特開２０１３−１４００１４号公報
【特許文献２】特開２００３−２１４４８号公報
【発明の概要】
【発明が解決しようとする課題】
【０００４】
近年、冷凍貯蔵空間の容量をより大きくした冷蔵庫の需要が高まってきている。これを受け、冷蔵庫の下方部分全体を冷凍貯蔵空間とする冷蔵庫が普及しつつある。このような冷蔵庫のうち、比較的横幅の狭い冷蔵庫では、従来最下段に配置されることの多かった野菜室を、上段の冷蔵室内に隔離室として配置する構成が検討されている。
【０００５】
例えば、特許文献１の冷蔵庫１に上記の構成を適用すると、冷蔵室２の下部には、チルド室と野菜室という２つの隔離室が、上下２段に並んで配置される。これにより、冷蔵室内のより上方の部分にまで、隔離室を形成するための仕切板が配置される。このような仕切板は、冷蔵室２の上方の冷蔵空間に配置される移動式の載置棚４５よりも重量が大きい。また、このような仕切板は、移動式の載置棚４５とは異なり、通常は取り外されることなく固定状態を安定して維持することが求められる。
【０００６】
しかし、冷蔵室２内の側面を構成する樹脂製の内箱に、ビスなどを用いて仕切板を直接固定すると、ビスが庫内に露出し、外観を損なう。
【０００７】
そのため、別の方法として、冷蔵室２の背面に仕切板を固定することが考えられる。しかし、冷蔵庫には、冷蔵室の背面に冷却板が設けられたものがある。例えば、特許文献２には、冷却通路２９の前面に、アルミニウムやステンレス等の金属板を板金加工して形成された冷却板４２を有する冷蔵庫１が開示されている。
【０００８】
このような冷却板は、冷却通路２９の表面に取り付けられている薄い板状の部材である。そのため、冷却板に仕切板固定用の部材を設け、仕切板を固定すると、例えば、仕切板を前方へ引っ張った場合などに、冷却板が歪んでしまうという問題がある。
【０００９】
そこで、本発明では、貯蔵室内に配置される仕切板をより安定して保持することのできる冷蔵庫を提供することを目的とする。
【課題を解決するための手段】
【００１０】
本発明の一局面にかかる冷蔵庫は、貯蔵室と、前記貯蔵室を仕切る仕切板と、前記貯蔵室の周囲に設けられている断熱箱体と、冷気が通過する通路を有し、前記貯蔵室の背面に設けられている通路構成部材と、前記仕切板を前記断熱箱体に対して固定する固定部材とを備えている。そして、前記仕切板は、前記通路構成部材を跨ぐように配置されつつ、前記固定部材によって前記断熱箱体の背面に対して固定されている。
【００１１】
上記の本発明の冷蔵庫において、前記仕切板と前記通路構成部材との間には、前記仕切板を保持する保持部材がさらに備えられ、前記保持部材に前記固定部材が取り付けられていてもよい。
【００１２】
上記の本発明の冷蔵庫において、前記固定部材は、前記通路構成部材を貫通していてもよい。
【００１３】
上記の本発明の冷蔵庫において、前記固定部材は、前記通路を避けて前記通路構成部材を貫通していてもよい。
【００１４】
上記の本発明の冷蔵庫において、前記貯蔵室には、前記通路構成部材を覆うように板状部材が設けられていてもよい。
【発明の効果】
【００１５】
本発明によれば、固定部材によって仕切板を断熱箱体の背面に対して固定することができる。したがって、冷蔵庫の貯蔵室内に配置される仕切板をより安定して保持することができる。これにより、仕切板の強度を維持することができる。
【図面の簡単な説明】
【００１６】
【図１】本発明の一実施形態に係る冷蔵庫の内部構成を模式的に示す正面図である。
【図２】本発明の一実施形態に係る冷蔵庫の内部構成を示す側面断面図である。
【図３】本発明の一実施形態に係る冷蔵庫の冷蔵室部分の構成を示す正面図である。
【図４】本発明の一実施形態に係る冷蔵庫の冷蔵室部分の構成を示す斜視図である。
【図５】図３に示す冷蔵庫のＸ−Ｘ線の断面図である。
【図６】（ａ）は、本発明の一実施形態に係る冷蔵庫に設けられた保持部材の構成を示す斜視図である。（ａ）は、本発明の一実施形態に係る冷蔵庫に設けられた保持部材の裏面側の構成を示す斜視図である。
【図７】本発明の一実施形態に係る冷蔵庫に設けられた仕切棚の構成を示す斜視図である。
【図８】図７に示す仕切棚に給水タンクが取り付けられた状態を示す斜視図である。
【図９】図８に示す仕切棚を背面側上方から見た斜視図である。
【図１０】本発明の第２の実施形態に係る冷蔵庫の内部構成を示す断面図である。
【図１１】本発明の第３の実施形態に係る冷蔵庫の内部構成を示す断面図である。
【図１２】（ａ）は、本発明の第４の実施形態に係る冷蔵庫に設けられた仕切棚の構成を示す斜視図である。（ｂ）は、（ａ）に示す仕切棚に設置される給水タンクの斜視図である。
【図１３】本発明の第５の実施形態に係る冷蔵庫の内部構成を示す断面図である。
【発明を実施するための形態】
【００１７】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００１８】
＜第１の実施形態＞
第１の実施形態では、本発明の冷蔵庫の一例として、上方部分に冷蔵貯蔵空間を有し、下方部分に冷凍貯蔵空間を有する冷蔵庫を例に挙げて説明する。但し、本発明の冷蔵庫の各貯蔵空間の配置は、これに限定はされない。
【００１９】
＜冷蔵庫の全体構成＞
【００２０】
まず、本実施の形態にかかる冷蔵庫１の全体構成について説明する。図１は、本実施の形態にかかる冷蔵庫１の全体構成を示す正面図である。図２は、本実施の形態にかかる冷蔵庫１の全体構成を示す側面断面図である。
【００２１】
図１および図２に示すように、冷蔵庫１は、上段に冷蔵室（貯蔵室）１１、下段に第１冷凍室１２、中段左側に製氷室１３、中段右側に第２冷凍室１４を備えている。冷蔵室１１には、左右の何れかの端部から開閉する方式の扉１１ａが設けられている。なお、冷蔵室１１に設けられている扉は、観音開き式の扉であってもよい。製氷室１３には、引き出し式の扉（図示せず）が設けられている。第２冷凍室１４にも、引き出し式の扉１４ａが設けられている。第１冷凍室１２にも、引き出し式の扉１２ａが設けられている。
【００２２】
本実施形態では、扉が設けられている面を冷蔵庫の前面とする。そして、前面に対向する面を背面とする。また、本明細書中において、「前面側」または「背面側」と規定するときは、任意の位置を基準として前面又は背面が設けられている側、あるいは、任意の位置から前面又は背面へ向かう方向のことを意味する。また、前面から背面、あるいは、背面から前面に向かう方向を前後方向という。
【００２３】
冷蔵庫１には、各貯蔵空間を周囲から断熱するための断熱構造として、断熱箱体５０が設けられている（図２参照）。断熱箱体５０は、冷蔵庫１の外周を覆うように設けられている。図２に示すように、断熱箱体５０は、主として、外箱５１と、内箱５２と、断熱層５３とを備えている。
【００２４】
外箱５１は、断熱箱体５０の外周面を形成する。外箱５１は、冷蔵庫１の外形も部分的に形成している。内箱５２は、断熱箱体５０の内周面を形成する。また、内箱５２は、各貯蔵空間（例えば、冷蔵室１１、第１冷凍室１２など）の内壁を形成している。断熱層５３は、例えば、真空断熱材と発泡断熱材とで構成される。真空断熱材は、薄いシート状または板状の断熱材である。発泡断熱材は、例えば、発泡ポリウレタンなどで形成することができる。
【００２５】
そして、冷蔵室１１内には、上から順に、複数の冷蔵用の移動式棚２１，２２，２３と、仕切棚（仕切板）２４，２５とが配置されている。移動式棚２１，２２，２３は、冷蔵室１１内の内壁に設けられた突起部上に載置されている。この突起部は、内壁面に複数個設けられている（図４参照）。そのため、ユーザが使用する突起部を適宜変更することで、移動式棚２１，２２，２３の載置位置を変更することができる。
【００２６】
仕切棚２４，２５は、冷蔵室１１の内壁に固定されており、通常の使用時には取り外しできないようになっている。後述するように、仕切棚２４は、保持部材３２を介して冷蔵室１１の背面側の内箱５２に固定されている。また、仕切棚２５も、仕切棚２４と同様に冷蔵室１１の内壁に取り付けられている。
【００２７】
図２に示すように、仕切棚２４と仕切棚２５との間には、チルドケース１５ａが配置されている。チルドケース１５ａと仕切棚２４とで、チルド室１５が形成される。仕切棚２４は、チルド室１５の上面を構成する。
【００２８】
また、図２に示すように、冷蔵室１１の底部分に相当する仕切棚２５の下方には、上から順に、果物ケース１６ａと、野菜ケース１７ａとが配置されている。そして、果物ケース１６ａ、野菜ケース１７ａ、及び仕切棚２５で、野菜室１７が形成される。仕切棚２５は、野菜室１７の上面を構成する。また、野菜室１７の上方には、果物ケース１６ａからなる果物入れ１６が設けられている。
【００２９】
以上のように、チルド室１５の上面に仕切棚２４が設けられていることで、チルド室１５を、冷蔵室１１からは遮蔽された貯蔵空間とすることができる。これにより、チルド室１５内の温度を冷蔵室１１の温度とは異なる温度に調整することができる。
【００３０】
また、野菜室１７の上面に仕切棚２５が設けられていることで、果物入れ１６を含む野菜室１７を、冷蔵室１１からは遮蔽された貯蔵空間とすることができる。これにより、野菜室１７に直接冷風が当たり、野菜室内の貯蔵物が乾燥することを抑えることができる。
【００３１】
また、本実施形態に係る冷蔵庫１には、チルド室１５の隣に給水タンク１８が配置されている。給水タンク１８内には水が収容され、下段に位置する製氷室１３において製氷が行われる際に使用される。給水タンク１８内の水は、製氷室１３の上方に配置された製氷機１９へ供給される。なお、上述した給水タンク１８が設置される場所は一例であり、本発明ではこれに限定はされない。
【００３２】
また、第１冷凍室１２及び第２冷凍室１４内にも、１又は複数の収納ケースを設置することができる。これにより、各貯蔵室を複数の貯蔵空間に区分けすることができる。
【００３３】
冷蔵室１１の背面側には、シャワーダクト構成部材３０が配置される。シャワーダクト構成部材（通路構成部材）３０の内部には、冷気の通路であるシャワーダクト３０ａが設けられている。シャワーダクト構成部材（通路構成部材）３０には、上下方向に複数の吹き出し口４６ａ，４６ｂ，４６ｃ，４６ｄ，４６ｅが形成されている。後述するように、吹き出し口４６ａ，４６ｂ，４６ｃ，４６ｄ，４６ｅからは、蒸発器４１からの冷気が冷蔵室１１内に吹き出す。
【００３４】
また、冷蔵室１１内において、シャワーダクト構成部材３０の表面は、冷却板（板状部材）３１で覆われている。冷却板３１は、熱伝導率の高い金属板で形成される。冷却板３１は、正面形状が矩形の薄い板状の部材であり、シャワーダクト構成部材３０の表面形状に沿うようにして、シャワーダクト構成部材３０に取り付けられている。冷蔵室１１の背面に冷却板３１が設けられていることで、冷蔵室１１内の貯蔵物を輻射冷却することができる。
【００３５】
なお、本発明の冷蔵庫においては、冷却板３１は設けられていなくてもよい。また、本発明の冷蔵庫には、冷却板３１の代わりに、表面に装飾が施された化粧板が設けられていてもよい。これにより、冷蔵室１１内の美感を向上させることができる。冷却板の代わりに化粧板を用いる場合には、熱伝導率の比較的高い素材で化粧板を形成することが望ましい。
【００３６】
チルドケース１５ａと、果物ケース１６ａと、野菜ケース１７ａとは、内箱５２に対して、前後方向にスライド可能である。たとえば、ユーザは、チルドケース１５ａを前方に引き出して、肉や乳製品をチルドケース１５ａに入れる。また、ユーザは、果物ケース１６ａを前方に引き出して、果物を果物ケース１６ａに入れる。ユーザは、野菜ケース１７ａを前方に引き出して、野菜を野菜ケース１７ａに入れる。
【００３７】
第１冷凍室１２及び第２冷凍室１４の背面側には、冷却室４０が配置される。冷却室４０内には、冷凍サイクルを構成する蒸発器４１や、蒸発器４１を除霜するためのガラス管ヒータ６１や、蒸発器４１からの冷気を第２冷凍室１４などに送るための冷却ファン４３が配置される。冷却室４０の上方は、シャワーダクト３０ａと連通している。
【００３８】
冷却室４０とシャワーダクト３０ａとの間には、ダンパ４５が設けられている。ダンパ４５を開閉することで、冷蔵室１１に向かう冷気の流れをＯＮ／ＯＦＦすることができる。また、シャワーダクト３０ａ内には、ダンパ４５の上方に冷却ファン４４が設けられている。冷却ファン４４が作動することで、吹き出し口４６ａ，４６ｂ，４６ｃ，４６ｄ，４６ｅを介して冷蔵室１１内に冷気を送り込むことができる。
【００３９】
また、冷却室４０には、上下方向に複数の吹き出し口４７ａ，４７ｂ，４７ｃ，４７ｄが形成されている。吹き出し口４７ａ，４７ｂ，４７ｃ，４７ｄからは、蒸発器４１からの冷気が第１冷凍室１２、製氷室１３、及び第２冷凍室１４内に吹き出す。
【００４０】
続いて、冷蔵庫１に備えられている冷凍サイクルについて説明する。冷凍サイクルは、冷媒が流通する冷媒管を介して、圧縮機４２、凝縮器、膨張器、及び、蒸発器（冷却器）４１が接続されて構成されている。膨張器は、キャピラリーチューブ（毛細管）と、該キャピラリーチューブに対して冷媒の流通方向の上流側に設けられた膨張弁とで構成されている。圧縮機４２は、冷蔵庫１の底部の背面側に設けられた機械室６０内に配置されている。
【００４１】
また、冷蔵庫１の内部には、制御部（図示せず）が設けられている。この制御部が、冷凍サイクルの運転の制御を行っている。すなわち、制御部が圧縮機４２を駆動させることによって、冷凍サイクルの運転が開始され、圧縮機４２→凝縮器→膨張器→蒸発器４１→圧縮機４２という経路で冷媒が循環する。
【００４２】
このように冷凍サイクル内を冷媒が循環する間に、低温の冷媒が流入する蒸発器４１では、蒸発器４１周辺の空気との間で熱交換が行われる。この熱交換により、冷却室４０内では冷気が生成される。
【００４３】
次に、冷気の流路について説明する。図３では、上述した冷凍サイクルによって発生する冷気の流れを矢印で示す。
【００４４】
蒸発器４１によって冷やされた冷気は、冷却ファン４３によって、吹き出し口４７ａ，４７ｂ，４７ｃ，４７ｄから第１冷凍室１２・製氷室１３・第２冷凍室１４に送られる。各冷凍貯蔵空間を通った冷気は、第１冷凍室１２の下方から冷却室４０内へ戻る。
【００４５】
また、ダンパ４５が解放されているときは、冷気は、冷却ファン４４によって、シャワーダクト３０ａ内を上昇しながら、吹き出し口４６ａ，４６ｂ，４６ｃ，４６ｄ，４６ｅから冷蔵室１１内へ送り込まれる。冷蔵室１１内に送られた冷気は、上方から下方へと降下しながら、冷蔵室内の食料および飲料などを冷やして、戻り口４８から戻りダクト４９を通って蒸発器４１へと帰ってくる。
【００４６】
より詳細には、本実施の形態においては、冷蔵室１１内に送られた冷気は、冷蔵室１１の背面部かつ上部から、冷蔵室１１の前面部すなわち扉の裏に沿って下方へと移動し、野菜室１７の前方、野菜室１７の下方を通過して、戻り口４８から戻りダクト４９内へと入っていく。
【００４７】
＜仕切棚の取り付け構造について＞
続いて、冷蔵室１１に備えられている仕切棚２４の取り付け構造について、図３から図５を参照しながら説明する。図３は、冷蔵室１１の内部の構成を示す。図４は、移動式棚２１，２２，２３及び仕切棚２４を取り外した状態での冷蔵室１１の内部構成を示す斜視図である。
【００４８】
上述したように、冷蔵庫１の上段部に配置された冷蔵室１１の内部は、上から順に、通常の冷蔵貯蔵空間、チルド室１５、野菜室１７に区分けされている。上方部分の冷蔵貯蔵空間内には、移動式棚２１，２２，２３が設置されており、冷蔵貯蔵空間内をさらに４つの区画に分割している。分割された各冷蔵貯蔵空間の背面には、吹き出し口４６ａ，４６ｂ，４６ｃ，４６ｄがそれぞれ設けられている。
【００４９】
また、チルド室１５は、固定配置された仕切棚２４の下方に位置する。図３に示すように、チルド室１５には、前後方向にスライド可能なチルドケース１５ａが収容されている。野菜室１７は、チルド室１５の下方に位置する。野菜室１７には、前後方向にスライド可能な果物ケース１６ａ及び野菜ケース１７ａが収容されている。
【００５０】
また、本実施形態の冷蔵庫１においては、チルドケース１５ａの左隣に給水タンク１８が設置されている。
【００５１】
図４では、チルドケース１５ａを取り外した状態での冷蔵室１１の背面の構成を示す。図４に示すように、チルド室１５と野菜室１７との間には、固定配置された仕切棚２５が配置されている。すなわち、チルドケース１５ａ及び給水タンク１８は、仕切棚２５上に載置されている。仕切棚２５が設けられていることで、チルド室１５と野菜室１７とは、別個の貯蔵空間を形成する。
【００５２】
また、図４に示すように、冷蔵室１１の背面における仕切棚２４の取り付け位置には、仕切棚２４を固定するための保持部材３２が設けられている。保持部材３２は、冷却板３１の表面に沿うようにして、冷蔵室１１の背面に取り付けられている。保持部材３２の背面側には、シャワーダクト構成部材３０が配置されている。
【００５３】
また、冷蔵室１１の内壁を構成する内箱５２の背面及び側面には、仕切棚２４の取り付け位置に沿うようにして、仕切棚２４を安定して載置するための補助突起５２ａが形成されている。
【００５４】
ここで、保持部材３２の具体的な構造について、図４から図６を参照しながら説明する。図５は、仕切棚２４が取り付けられている位置における冷蔵室１１の背面部分の断面構成を示す。図６（ａ）は、保持部材の前面側（仕切棚２４が取り付けられる側）を示す斜視図であり、図６（ｂ）は、保持部材の裏面側（冷却板３１と接する側）を示す斜視図である。
【００５５】
保持部材３２は、２つのビス（固定部材）７１ａ，７１ｂによって断熱箱体５０に対して固定されている。図５に示すように、２つのビス７１ａ，７１ｂは、シャワーダクト構成部材３０を貫通して、断熱箱体５０の内箱５２から断熱層５３まで達している。
【００５６】
シャワーダクト構成部材３０は、主な構成部材として、シャワーダクト３０ａと、断熱材７０ａと、外装部材７０とを備えている。シャワーダクト３０ａは、シャワーダクト構成部材３０の中央部分に位置し、内部を冷気が通過する。断熱材７０ａは、シャワーダクト３０ａを取り囲むように配置されている。断熱材７０ａは、例えば、発泡スチロールで形成される。外装部材７０は、断熱材７０ａを覆うように設けられ、シャワーダクト構成部材３０の外形を形成する。
【００５７】
図５に示すように、保持部材３２を固定するためのビス７１ａ，７１ｂは、シャワーダクト構成部材３０の断熱材７０ａを貫通するように配置されている。このように、シャワーダクト３０ａを避けるようにして各ビス７１ａ及び７１ｂが配置されていることで、シャワーダクト３０ａ内の冷気が、ビス７１ａ及び７１ｂ、並びに、ビスが配置される孔を介して断熱箱体５０側へ流出する可能性を低下させることができる。また、シャワーダクト３０ａを避けるようにして各ビス７１ａ及び７１ｂが配置されていることで、ビスがシャワーダクト内を通る冷気の妨げになることもない。
【００５８】
保持部材３２を固定するためのビスの数は、特に限定はされない。しかし、保持部材３２の固定状態を安定させるためには、ビスは複数個設けられていることが好ましい。また、シャワーダクト３０ａを避けるようにして複数のビスを取り付けるためには、シャワーダクト３０ａを間に挟んで左右両側にビスが配置されるのがよい。
【００５９】
図６（ａ）及び図６（ｂ）に示すように、保持部材３２は、ビス用貫通孔３３ａ及び３３ｂ、冷気吹き出し口３４、仕切棚保持用のツメ部３５ａ及び３５ｂ、貫通部３６ａ及び３６ｂ、並びに、フランジ部３７ａ及び３７ｂを有している。
【００６０】
ビス用貫通孔３３ａ及び３３ｂは、各ビス７１ａ及び７１ｂを通すための穴である。各ビス７１ａ及び７１ｂの取り付け位置に対応して、本実施形態では、ビス用貫通孔３３ａ及び３３ｂは、保持部材３２の本体部分の右側と左側にそれぞれ設けられている。
【００６１】
また、貫通部３６ａ及び３６ｂは、図６（ｂ）に示すように、保持部材３２の裏面から突出して設けられている。貫通部３６ａ及び３６ｂは、ビス用貫通孔３３ａ及び３３ｂの形状に合わせて、それぞれ形成されている。すなわち、貫通部３６ａ及び３６ｂは、円筒形状を有しており、その中空部分がビス用貫通孔３３ａ及び３３ｂとなっている。
【００６２】
冷気吹き出し口３４は、冷蔵室１１の背面に設けられた吹き出し口４６ｅに対応する位置に設けられている。吹き出し口４６ｅからの冷気は、冷気吹き出し口３４を介してチルド室１５内へ流入する。本実施形態では、冷気吹き出し口３４は、本体部分の下方（下側のフランジ部３７ｂの下）に設けられている。但し、冷気吹き出し口３４の配置位置はこれに限定されない。
【００６３】
フランジ部３７ａ及び３７ｂは、本体部分に対して略垂直になるように、本来部分上に立設している。上側のフランジ部３７ａは、保持部材３２の本体部分の上端部に設けられている。下側のフランジ部３７ｂは、上側フランジ部３７ａと略平行に、上側フランジ部３７ａから所定の間隔を有して、本来部分上に立設している。仕切棚２４は、上側のフランジ部３７ａと下側のフランジ部３７ｂとの間に挟み込まれる。フランジ部３７ａ及び３７ｂが設けられていることで、仕切棚２４の固定状態を安定化させることができる。また、仕切棚２４を保持する構造の強度を増加させることができる。
【００６４】
仕切棚保持用のツメ部３５ａ及び３５ｂは、下側フランジ部３７ｂ上の左右両側の端部に配置されている。仕切棚保持用のツメ部３５ａ及び３５ｂは、仕切棚２４に設けられている突起部２４ａ及び２４ｂ（図７など参照）と係合し、仕切棚２４を保持部材３２へ固定する。
【００６５】
以上のように、本実施形態に係る冷蔵庫１では、仕切棚２４は保持部材３２を介して冷蔵庫１の内箱５２に固定されている。これにより、仕切棚２４の固定状態を安定化させることができる。また、仕切棚２４の構造を単純なものにすることができる。そして、仕切棚２４の断熱箱体５０への取り付け作業を簡単に行うことができるようになる。
【００６６】
また、本実施形態に係る冷蔵庫１では、保持部材３２を固定するためのビス７１ａ及び７１ｂが、シャワーダクト構成部材３０を貫通して、断熱箱体５０に対して取り付けられている。より具体的には、ビス７１ａ及び７１ｂが通るビス用貫通孔３３ａ及び３３ｂが、シャワーダクト構成部材３０を貫通している。そのため、断熱箱体５０へのビスの取り付け位置は、シャワーダクト構成部材３０の背面側となり、冷蔵室１１に露出することはない。したがって、万一、ビスの取り付け位置から、発泡ポリウレタンなどの断熱材料が漏れた場合であっても、冷蔵室１１の内壁に露出する可能性を抑えることができる。
【００６７】
また、本実施形態に係る冷蔵庫１のように、シャワーダクト構成部材３０の表面が冷却板３１で覆われている場合に、冷却板３１に対して仕切棚２４を固定すると、例えば、仕切棚を前方へ引っ張った場合などに、冷却板が歪んでしまうという問題がある。これに対して、本実施形態に係る冷蔵庫１においては、保持部材３２は、シャワーダクト構成部材３０とともに、表面に設けられた冷却板３１も貫通する構成となっている。
【００６８】
以上のように、本実施形態に係る冷蔵庫１では、仕切棚２４を固定するための保持部材３２並びにビス７１ａ及び７１ｂ（固定部材）が、冷却板３１及びシャワーダクト構成部材３０を貫通して、断熱箱体５０に対して固定されている。この構成によれば、仕切棚２４を前方に引っ張った際に、冷却板３１及びシャワーダクト構成部材３０に対して加えられる前後方向の応力を低減させることができる。
【００６９】
また、ビス用貫通孔３３ａ及び３３ｂ、並びに、貫通部３６ａ及び３６ｂが設けられていることで、保持部材３２とシャワーダクト３０ａとの距離を確実に保つことができる。したがって、仕切棚２４が強く押された場合などに、保持部材３２を介してシャワーダクト３０ａが押されて変形することを抑えることができる。
【００７０】
なお、本実施形態に係る冷蔵庫１では、保持部材３２を固定するための固定部材としてビス７１ａ及び７１ｂを用いている。しかし、固定部材はビスに限定はされない。ビス以外の固定部材として、釘なども利用できる。また、保持部材３２の裏面に、突起した爪部材などとして、保持部材３２と一体的に固定部材が形成されていてもよい。この場合、例えば、ビス用貫通孔３３ａ及び３３ｂ、並びに、貫通部３６ａ及び３６ｂの代わりに、突起した爪部材を設けることができる。
【００７１】
＜給水タンクの取り付け構造について＞
続いて、本実施の形態に係る冷蔵庫１に備えられている給水タンク１８について、図７から図９を参照しながら説明する。上述したように、給水タンク１８は、チルド室１５の左隣に配置される。給水タンク１８は、チルドケース１５ａとともに、仕切棚２５上に配置される。
【００７２】
図７は、仕切棚２５の構成を示す斜視図である。図８は、仕切棚２５に給水タンク１８が取り付けられた状態を示す斜視図である。図９は、仕切棚２５を背面側上方から見た斜視図である。
【００７３】
図７に示すように、仕切棚２５は、冷蔵室１１の内壁に沿うようにしてその外形が形成されている。具体的には、仕切棚２５は、その背面部分のシャワーダクト構成部材３０及び保持部材３２と面する部分が抉れた形状になっている。そして、この抉れた部分に、保持部材３２のツメ部３５ａ及び３５ｂとそれぞれ係合する突起部２４ａ及び２４ｂが形成されている。なお、ここでは、２つの仕切棚２４，２５のうちの下側の仕切棚２５について説明しているが、上側の仕切棚２４にも、下側の仕切棚２５と同様の突起部２４ａ及び２４ｂが形成されている。
【００７４】
以上のように、本実施形態に係る構成では、シャワーダクト構成部材３０及び保持部材３２が、仕切棚２４，２５の抉れた部分に配置される。すなわち、仕切棚２４，２５は、シャワーダクト構成部材３０を跨ぐようにして配置される。そして、仕切棚２４，２５は、ビス７１ａ及び７１ｂなどの固定部材によって、断熱箱体５０に対して固定されている。
【００７５】
また、前面から見て仕切棚２５の左側の端部には、給水タンク１８を載置するための給水タンク載置台８２が形成されている。また、給水タンク載置台８２と仕切棚２５の棚部分との間には、両者を仕切る仕切り壁８１が立設している。
【００７６】
次に、給水タンク１８の構造について説明する。図８及び図９に示すように、給水タンク１８は、上蓋１８ａ及び水収容部１８ｂを主な構成部材として備えている。本実施の形態では、上蓋１８ａ及び水収容部１８ｂは、何れもプラスチック樹脂で形成されている。例えば、上蓋１８ａは、ポリプロピレンなどの比較的柔軟性を有する素材で形成し、水収容部１８ｂは、ＧＰＰＳ（汎用ポリスチレン）などの比較的剛性の高い素材で形成することができる。但し、本発明ではこれに限定はされない。
【００７７】
上蓋１８ａには、冷蔵室１１の背面に設置された給水ポンプ（図示せず）に接続される給水管８４が取り付けられている。図９に示すように、給水タンク１８が給水タンク載置台８２に正しく設置された場合には、給水管８４は、冷蔵室１１の背面の方へ突出するような形状を有している。そして、給水管８４の先端は、給水ポンプの給水口に接続される。なお、給水管８４は、給水タンク１８の上蓋１８ａに形成されている突起部８６から突出するように形成されている。
【００７８】
ところで、本発明以前の冷蔵庫においては、給水タンク１８を前後方向において逆向きに装着することが可能な構造を有していた。そのため、ユーザが誤って給水タンク１８の向きを前後反対に装着してしまうことが度々発生していた。給水タンク１８を前後逆向きに装着すると、上蓋１８ａに取り付けられている給水管８４が給水ポンプと接続されないため、製氷を行うことができないという問題が生じる。
【００７９】
そこで、本実施形態に係る冷蔵庫１では、仕切り壁８１の側壁に第１の突起部８３を有するとともに、給水タンク１８の上蓋１８ａに第２の突起部８５を有している。これらの突起部８３，８５が、給水タンクの逆付け防止機構として機能する。
【００８０】
第１の突起部８３は、仕切り壁８１の給水タンク載置台８２側の側面から突出するように形成されている。本実施形態では、第１の突起部８３は、前後方向にある程度の長さを有する細長い突起である。
【００８１】
第２の突起部８５は、給水タンク１８の上蓋１８ａの前面側の先端部に設けられている。第２の突起部８５は、給水タンク１８の前面側の形状に沿って、上蓋１８ａの表面から突出している。このため、ユーザは第２の突起部８５に指などをかけて給水タンク１８を容易に引き出すことができる。すなわち、第２の突起部８５は給水タンク１８の把持部としても機能する。
【００８２】
また、給水タンク１８の上蓋１８ａに形成されている給水管８４を有する突起部８６は、第２の突起部８５よりも幅狭に形成されている。
【００８３】
第１の突起部８３及び第２の突起部８５が設けられていることにより、給水タンク１８を前後逆向きに挿入すると、上蓋１８ａの第２の突起部８５が、仕切り壁８１の第１の突起部８３に当たり、給水タンク１８をそれ以上奥へ挿入することができない。そのため、給水タンク１８が給水タンク載置台８２に完全に装着される前に、ユーザは給水タンク１８の向きが逆であることに気づくことができる。
【００８４】
一方で、給水タンク１８を前後正しく挿入すると、第２の突起部８５よりも幅狭に形成された突起部８６は第１の突起部８３に干渉しないので、給水タンク１８を奥まで挿入することができる。
【００８５】
第１の突起部８３の形状及び長さは、給水タンク１８を前後逆向きに装着しようとした際に、第２の突起部８５とぶつかり、給水タンク１８をそれ以上奥まで挿入できないように設計されていれば、特に限定はされない。
【００８６】
なお、仕切棚２５の前側端部から第１の突起部８３の前面側端部までの距離Ｌは、給水タンク１８を前後逆向きに挿入した際に、給水タンク１８の後方部分が仕切棚２５から突出し、冷蔵室１１の扉１１ａを閉じられないような長さに設定されていることが好ましい。これにより、ユーザは、給水タンク１８が正しく設置されていないことにより気づきやすくなる。
【００８７】
また、上記距離Ｌは、給水タンク１８を前後正しく奥まで挿入した際に、第２の突起部８５の設置位置よりも後方に第１の突起部８３が位置する程度の長さとすることが好ましい。これにより、給水タンク１８を前後正しく挿入した場合は、第１の突起部８３に干渉することなく、奥まで給水タンク１８を挿入することができる。
【００８８】
また、第１の突起部８３の前面側端部は、給水タンクの収納スペースの中央部分よりも前方に位置することが好ましい。これにより、ユーザは、給水タンク１８が正しく設置されていないことにより気づきやすくなる。
【００８９】
また、第１の突起部８３の前後方向の長さは、給水タンク１８を前後逆向きに挿入した場合に、給水タンク１８側に設けられた第２の突起部の後方への進行を妨げることができる程度に長いことが好ましい。
【００９０】
本実施形態では、仕切棚２５上に給水タンク１８が載置されている例について説明しているが、本発明において、給水タンク１８の設置場所はこれに限定されない。例えば、上側の仕切棚２４上、あるいは、野菜ケース１７ａの脇に給水タンク１８を設置してもよい。
【００９１】
また、第１の突起部８３は、前面側から見て給水タンク１８の左側に配置されていてもよい。すなわち、これを本実施形態の構成に適用した場合、第１の突起部８３は、冷蔵室１１の内壁側に設けられていてもよい。但し、冷蔵室１１の内壁の破損の可能性を考慮すると、第１の突起部８３は、仕切り壁８１の側壁に形成することが好ましい。
【００９２】
上述した給水タンクの逆付け防止構造についても、本発明の範疇に含まれる。すなわち、本発明の一局面に係る給水タンクの逆付け防止構造は、給水タンクと、この給水タンクを収容する給水タンク収容部（例えば、給水タンク載置台、仕切り壁など）とを備え、前記給水タンク及び前記給水タンク収容部には、給水タンクを正しい設置位置とは逆向きに取り付けることを予防する逆付け予防機構が設けられている。
【００９３】
また、上記の給水タンクの逆付け防止構造において、前記逆付け予防機構は、前記給水タンク収容部を構成する仕切り壁に設けられた第１の突起部と、前記給水タンクを構成する上蓋の前方に設けられた第２の突起部とで構成されてもよい。
【００９４】
また、上記の給水タンクの逆付け防止構造において、前記逆付け予防機構は、前記給水タンク収容部を構成する給水タンク載置台に設けられた突起部と、前記給水タンクを構成する水収容部の後端部の底面部に形成された切欠き部とで構成されてもよい。
【００９５】
以上の構成によれば、給水タンクが給水タンク収容部に完全に装着される前に、ユーザは給水タンクの向きが逆であることに気づくことができる。したがって、給水タンクを正しい設置位置とは逆向きに取り付けることを予防することができる。
【００９６】
＜第２の実施形態＞
続いて、本発明の第２の実施形態について説明する。第２の実施形態では、冷蔵庫１の仕切棚を保持固定する構成が第１の実施形態とは異なっている。その他の構成については、基本的に第１の実施形態と同じ構成を適用することができる。そこで、第２の実施形態では、第１の実施形態とは異なる点のみを説明する。
【００９７】
上述した第１の実施形態では、仕切棚２４を保持するための保持部材３２を用いて、断熱箱体５０に対して仕切棚２４を固定している。しかし、本発明では、保持部材は必ずしも設けられていなくてもよい。そこで、第２の実施形態では、保持部材を用いずに、仕切棚２４を断熱箱体５０に対して直接固定する構成について説明する。
【００９８】
図１０は、第２の実施形態に係る冷蔵庫１において、仕切棚１２４が取り付けられている位置での冷蔵室１１の背面部分の断面構成を示す。この図は、図３に示す冷蔵庫のＸ−Ｘ線部分の断面図に相当する。
【００９９】
第２の実施形態では、仕切棚１２４を固定するための保持部１３２は、仕切棚１２４と一体となっている。図１０に示すように、仕切棚１２４には、その背面部分のシャワーダクト構成部材３０と面する位置に、保持部１３２が形成されている。
【０１００】
保持部１３２には、保持部１３２の裏面から突出した貫通部１３６ａ及び１３６ｂが形成されている。貫通部１３６ａ及び１３６ｂは円筒形状を有しており、その中空部分がビス取り付け用の穴１３３ａ及び１３３ｂとなっている。
【０１０１】
保持部材３２は、２つのビス（固定部材）１７１ａ，１７１ｂによって断熱箱体５０に対して固定されている。図５に示すように、２つのビス１７１ａ，１７１ｂは、シャワーダクト構成部材３０を貫通して、断熱箱体５０の内箱５２から断熱層５３まで達している。本実施の形態において、仕切棚１２４を断熱箱体５０に対して取り付ける際には、仕切棚１２４に形成されたビス取り付け用の穴１３３ａ及び１３３ｂから、ビスの取り付けを行うことができる。
【０１０２】
以上のように、第２の実施形態に係る冷蔵庫１では、仕切棚１２４と一体化された保持部１３２並びにビス１７１ａ及び１７１ｂ（固定部材）が、冷却板３１及びシャワーダクト構成部材３０を貫通して、断熱箱体５０に対して固定されている。この構成によれば、仕切棚１２４を前方に引っ張った際に、冷却板３１及びシャワーダクト構成部材３０に対して加えられる前後方向の応力を低減させることができる。
【０１０３】
また、図１０に示すように、保持部材３２を固定するためのビス１７１ａ，１７１ｂは、シャワーダクト構成部材３０の断熱材７０ａを貫通するように配置されている。このように、シャワーダクト３０ａを避けるようにして各ビス１７１ａ及び１７１ｂが配置されていることで、シャワーダクト３０ａ内の冷気が、ビス１７１ａ及び１７１ｂ、並びに、ビスが配置される穴を介して断熱箱体５０側へ流出する可能性を低下させることができる。
【０１０４】
＜第３の実施形態＞
続いて、本発明の第３の実施形態について説明する。第３の実施形態では、冷蔵庫１の仕切棚を保持固定する構成が第１の実施形態とは異なっている。その他の構成については、基本的に第１の実施形態と同じ構成を適用することができる。そこで、第２の実施形態では、第１の実施形態とは異なる点のみを説明する。
【０１０５】
上述した第１の実施形態では、固定部材としてビスを用いて仕切棚２４を断熱箱体５０に対して固定している。しかし、本発明では、固定部材はビスに限定はされない。そこで、第３の実施形態では、ビスを用いずに仕切棚を固定する構成について説明する。
【０１０６】
図１１は、第３の実施形態に係る冷蔵庫１において、仕切棚２２４が取り付けられている位置での冷蔵室１１の背面部分の断面構成を示す。この図は、図３に示す冷蔵庫のＸ−Ｘ線部分の断面図に相当する。
【０１０７】
第１の実施形態と同様に、第３の実施形態における仕切棚２２４は、保持部材３２を介して冷蔵室１１の背面側の内箱５２に固定されている。保持部材３２の構造については、第１の実施形態で説明したものと同様の構成を適用することができる。
【０１０８】
一方、仕切棚２２４には、その背面部分のシャワーダクト構成部材３０及び保持部材３２と面する部分に、２つの爪部材２７１ａ及び２７１ｂが形成されている。爪部材２７１ａ及び２７１ｂは、仕切棚２２４の後方から突出している。図１１に示すように、爪部材２７１ａ及び２７１ｂは、保持部材３２の貫通部３６ａ及び３６ｂの内部を通って、内箱５２を突き抜け、断熱層５３へと達している。
【０１０９】
これにより、仕切棚２２４は、断熱箱体５０に対して固定されている。すなわち、爪部材２７１ａ及び２７１ｂは、固定部材として機能する。
【０１１０】
以上のように、第３の実施形態に係る冷蔵庫１では、仕切棚２２４と一体化された爪部材２７１ａ及び２１７１ｂ（固定部材）が、冷却板３１及びシャワーダクト構成部材３０を貫通して、断熱箱体５０に対して固定されている。この構成によれば、仕切棚２２４を前方に引っ張った際に、冷却板３１及びシャワーダクト構成部材３０に対して加えられる前後方向の応力を低減させることができる。
【０１１１】
また、図１１に示すように、保持部材３２を固定するための爪部材２７１ａ及び２１７１ｂは、シャワーダクト構成部材３０の断熱材７０ａを貫通するように配置されている。そして、爪部材２７１ａ及び２１７１ｂが取り付けられる断熱箱体５０の内箱５２には、爪部材２７１ａ及び２１７１ｂを係止するための係止溝が設けられている。これにより、爪部材２７１ａ及び２１７１ｂを内箱５２に対して安定して固定することができる。内箱５２に形成されている係止溝としては、例えば、プッシュロック、ひっかけ溝（爪部材が係止されるホルダ）などが挙げられる。
【０１１２】
このように、シャワーダクト３０ａを避けるようにして各爪部材２７１ａ及び２１７１ｂが配置されていることで、シャワーダクト３０ａ内の冷気が、爪部材２７１ａ及び２１７１ｂ、並びに、爪部材が配置される孔を介して断熱箱体５０側へ流出する可能性を低下させることができる。
【０１１３】
＜第４の実施形態＞
続いて、本発明の第４の実施形態について説明する。第４の実施形態では、給水タンクとその周囲の構造が第１の実施形態とは異なっている。その他の構成については、基本的に第１の実施形態と同じ構成を適用することができる。そこで、第４の実施形態では、第１の実施形態とは異なる点のみを説明する。
【０１１４】
上述した第１の実施形態では、給水タンクの逆付け防止機構を、給水タンク１８の上蓋１８ａと仕切り壁８１の側壁とに設けている。しかし、本発明では、給水タンクの逆付け防止機構の取り付け位置は適宜変更可能である。そこで、第４の実施形態では、給水タンクの逆付け防止機構を、給水タンクの水収容部及び給水タンク載置台に設ける構成について説明する。
【０１１５】
図１２（ａ）は、本発明の第４の実施形態に係る冷蔵庫１に設けられた仕切棚３２５の構成を示す斜視図である。図１２（ｂ）は、図１２（ａ）に示す仕切棚３２５に設置される給水タンク３１８の斜視図である。なお、図１２（ｂ）では、給水タンク３１８をその後方側から見た状態を示す。
【０１１６】
図１２（ａ）に示すように、仕切棚３２５は、冷蔵室１１の内壁に沿うようにしてその外形が形成されている。具体的には、仕切棚３２５は、その背面部分のシャワーダクト構成部材３０及び保持部材３２と面する部分が抉れた形状になっている。
【０１１７】
また、前面から見て仕切棚３２５の左側の端部には、給水タンク３１８を載置するための給水タンク載置台３８２が形成されている。また、給水タンク載置台３８２と仕切棚３２５の棚部分との間には、両者を仕切る仕切壁３８１が立設している。
【０１１８】
次に、給水タンク３１８の構造について説明する。図１２（ｂ）に示すように、給水タンク３１８は、上蓋３１８ａ及び水収容部３１８ｂを主な構成部材として備えている。上蓋３１８ａ及び水収容部３１８ｂの素材は、第１の実施形態と同様のものを適用できる。
【０１１９】
上蓋３１８ａには、冷蔵室１１の背面に設置された給水ポンプ（図示せず）に接続される給水管３８４が取り付けられている。給水タンク３１８が給水タンク載置台３８２に正しく設置された場合には、給水管３８４は、冷蔵室１１の背面の方へ突出するような形状を有している。そして、給水管３８４の先端は、給水ポンプの給水口に接続される。
【０１２０】
本実施形態に係る冷蔵庫１においては、給水タンクの逆付け防止機構として、突起部３８３と、切欠き部３８５とが設けられている。突起部３８３は、給水タンク載置台３８２の表面から突出するように形成されている。突起部３８３は、給水タンク３１８の挿入方向に沿って細長い形状を有している。
【０１２１】
切欠き部３８５は、給水タンク３１８を構成する水収容部３１８ｂに形成されている。図１２（ｂ）に示すように、切欠き部３８５は、水収容部３１８ｂの後端部の底面部を切り欠くことによって形成されている。
【０１２２】
このような切欠き部３８５が形成されていることにより、給水タンク３１８を正しい方向で装着した場合には、給水タンク載置台３８２に形成された突起部３８３に給水タンク３１８の底部が当たることはない。つまり、給水タンク３１８を正常位置に設置すると、上方から見て両者が重なり合うように、切欠き部３８５の下部に突起部３８３が位置する。
【０１２３】
一方、給水タンク３１８を前後逆向きに挿入すると、給水タンク３１８の前面３８６の底部が、給水タンク載置台３８２に形成された突起部３８３に当たり、給水タンク３１８をそれ以上奥へ挿入することができない。そのため、給水タンク３１８が給水タンク載置台３８２に完全に装着される前に、ユーザは給水タンク３１８の向きが逆であることに気づくことができる。
【０１２４】
なお、本実施形態では、給水タンク３１８の前面３８６側に、切欠き部３８５よりも小さな切欠きが形成されている。しかし、前面３８６側の切欠きは形成されていなくてもよい。また、切欠き部３８５は、水収容部３１８ｂの突起部３８３に対応する部分（すなわち、水収容部３１８ｂの右側後端部のみ）を凹ませた形状としてもよい。これにより、切欠き部による水収容部３１８ｂの容積の減少を抑えることができる。
【０１２５】
なお、本実施形態の構成では、給水タンク３１８の水収容部３１８ｂの素材としてプラスチック樹脂を用いる場合には、比較的軟らかい素材を用いることが好ましい。これにより、給水タンク３１８を誤って前後逆向きに挿入し、水収容部３１８ｂの底面部（前面３８６）と給水タンク載置台３８２の突起部３８３とが衝突した場合に、その衝撃によって水収容部３１８ｂの底面部が傷ついたり破損したりする可能性を減少させることができる。
【０１２６】
＜第５の実施形態＞
続いて、本発明の第５の実施形態について説明する。第５の実施形態では、冷蔵庫１の仕切棚を保持固定する構成が第１の実施形態とは異なっている。その他の構成については、基本的に第１の実施形態と同じ構成を適用することができる。そこで、第５の実施形態では、第１の実施形態とは異なる点のみを説明する。
【０１２７】
上述した第１の実施形態では、保持部材及びビス（固定部材）がシャワーダクト構成部材を貫通するように設けられていた。しかし、本発明はこのような構成に限定はされない。そこで、第５の実施形態では、シャワーダクト構成部材を貫通することなく、仕切棚が断熱箱体の背面に対して取り付けられる構成例について説明する。
【０１２８】
図１３は、仕切棚２４が取り付けられている位置における冷蔵室１１の背面部分の断面構成を示す。この図は、図３に示す冷蔵庫のＸ−Ｘ線部分の断面図に相当する。なお、図１３では、仕切棚２４の図示は省略している。
【０１２９】
第５の実施形態では、仕切棚２４は、保持部材４３２を介して冷蔵室１１の背面側の内箱５２に固定されている。保持部材４３２は、シャワーダクト構成部材３０を跨ぐようにして配置されている。そして、保持部材４３２は、２つのビス（固定部材）４７１ａ，４７１ｂによって断熱箱体５０に対して固定されている。図１３に示すように、２つのビス４７１ａ，４７１ｂは、保持部材４３２の左右両端部に位置し、断熱箱体５０の内箱５２から断熱層５３に差し込まれている。これにより、保持部材４３２は、断熱箱体５０に固定されている。
【０１３０】
また、図示はしていないが、保持部材４３２には、第１の実施形態に係る冷蔵庫１に設けられた保持部材３２と同様に、仕切棚保持用のツメ部が設けられている。そして、このツメ部が、仕切棚２４などに設けられている突起部と係合することで、仕切棚２４を保持部材４３２に対して固定することができる。これにより、仕切棚２４は、保持部材４３２を間に挟んでシャワーダクト構成部材３０を跨ぐようにして配置される。
【０１３１】
以上のように、第５の実施形態に係る冷蔵庫１では、２つのビス４７１ａ，４７１ｂがシャワーダクト構成部材３０を貫通することなく、シャワーダクト構成部材３０の左右両脇に配置されている。このような構成も、本発明の範疇に含まれる。
【０１３２】
上記の構成によれば、仕切棚２４を冷蔵室１１内に安定して保持することができる。これに加え、シャワーダクト構成部材３０を貫通させる必要がなくなるため、各部品の構成をよりシンプルなものにすることができる。また、ビス４７１ａ，４７１ｂをシャワーダクト３０ａからより離れた位置に配置することができるため、ビスが冷却されることによる結露の発生をより抑えることができる。
【０１３３】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１３４】
１          ：冷蔵庫
１１        ：冷蔵室（貯蔵室）
１５        ：チルド室
１７        ：野菜室
１８        ：給水タンク
１８ａ      ：上蓋
１８ｂ      ：水収容部
２４・２５  ：仕切棚（仕切板）
３０        ：シャワーダクト構成部材（通路構成部材）
３０ａ      ：シャワーダクト（通路）
３１        ：冷却板（板状部材）
３２        ：保持部材
７１ａ      ：ビス（固定部材）
７１ｂ      ：ビス（固定部材）
８１        ：仕切り壁（給水タンク収容部）
８２        ：給水タンク載置台（給水タンク収容部）
８３        ：第１の突起部（給水タンクの逆付け防止機構）
８５        ：第２の突起部（給水タンクの逆付け防止機構）
２７１ａ    ：爪部材（固定部材）
２７１ｂ    ：爪部材（固定部材） 
【図１】
0006626682.tif 000002
【図２】
0006626682.tif 000003
【図３】
0006626682.tif 000004
【図４】
0006626682.tif 000005
【図５】
0006626682.tif 000006
【図６】
0006626682.tif 000007
【図７】
0006626682.tif 000008
【図８】
0006626682.tif 000009
【図９】
0006626682.tif 000010
【図１０】
0006626682.tif 000011
【図１１】
0006626682.tif 000012
【図１２】
0006626682.tif 000013
【図１３】
0006626682.tif 000014